(57)【要約】      （修正有）【課題】鉛筆挿入孔に指を挿入しにくい機構を設け、幼児が誤って、もしくは、いたずらで、鉛筆挿入孔に指を挿入しにくくすることにより、指が切削刃で切削されてしまう危険を防止できる電動鉛筆削り器を提供する。【解決手段】鉛筆を挿入する鉛筆挿入孔１４を設けた本体ケース１１と、上記鉛筆挿入孔に挿入した鉛筆を切削する切削刃と、上記切削刃を回転させるモータとを備えた電動鉛筆削り器１０において、上記鉛筆挿入孔を常時被覆するように、上記弾性部材により付勢され、鉛筆切削時には、上記弾性部材の付勢力に抗して上記鉛筆挿入孔を開口するスライドシャッタ１３を有することを特徴とする。【選択図】図２
0003131478.tif 000002
【実用新案登録請求の範囲】
【請求項１】
鉛筆を挿入する鉛筆挿入孔を設けた本体ケースと、上記鉛筆挿入孔に挿入した鉛筆を切削する切削刃と、上記切削刃を回転させるモータとを備えた電動鉛筆削り器において、上記鉛筆挿入孔を常時被覆するように、上記弾性部材により付勢され、鉛筆切削時には、上記弾性部材の付勢力に抗して上記鉛筆挿入孔を開口するスライドシャッタを有することを特徴とする電動鉛筆削り器。
【請求項２】
上記スライドシャッタは、上記ケース本体の外側面部に取り付けられていることを特徴とする請求項１記載の電動鉛筆削り器。
【考案の詳細な説明】
【技術分野】
【０００１】
本考案は、電動鉛筆削り器に係り、特に、幼児が鉛筆挿入孔に指を挿入しにくくすることによって、指を負傷する事故を防止しうる電動鉛筆削り器に関する。
【背景技術】
【０００２】
従来の電動鉛筆削り器の鉛筆挿入孔は、カバー等が無く露出されており、鉛筆挿入孔に鉛筆を挿入すると、切削刃を回転させるモータのスイッチが作動して、切削刃が自動的に回転して鉛筆を削るように構成されている。
ところで、幼児がシュレッダーの紙挿入口に誤って、もしくは、いたずらで、指を挿入して、指が切断される事故が近時発生しており、安全対策を施さなければならないという要望が存在する。
【０００３】
電動鉛筆削り器の場合も、シュレッダーの場合と同様に、上記電動鉛筆削り器の構成では鉛筆挿入孔が露出されているため、幼児が鉛筆挿入孔に誤って、もしくは、いたずらで、指を挿入する可能性がある。
そして、仮に、鉛筆挿入孔に指が挿入されると、上記のように切削刃が自動的に回転することから、挿入された指が切削刃により切削されてしまう危険性がある。
従って、電動鉛筆削り器の場合も、シュレッダーの場合と同様に、安全対策を施す必要性が望まれている。
【０００４】
従来、鉛筆挿入孔に指を挿入しにくい機構を設け、幼児が鉛筆挿入孔に誤って、もしくは、いたずらで、指を挿入することにより、挿入された指が切削刃で切削されてしまう危険を防止しうる鉛筆削り器は存在していない。
【考案の開示】
【考案が解決しようとする課題】
【０００５】
そこで、本考案の課題は、鉛筆挿入孔に指を挿入しにくい機構を設け、幼児が誤って、もしくは、いたずらで、鉛筆挿入孔に指を挿入しにくくすることにより、指が切削刃で切削されてしまう危険を防止できる電動鉛筆削り器を提供することにある。
【課題を解決するための手段】
【０００６】
上記課題を解決するために、請求項１記載の考案にあっては、鉛筆を挿入する鉛筆挿入孔を設けた本体ケースと、上記鉛筆挿入孔に挿入した鉛筆を切削する切削刃と、上記切削刃を回転させるモータとを備えた電動鉛筆削り器において、上記鉛筆挿入孔を常時被覆するように、上記弾性部材により付勢され、鉛筆切削時には、上記弾性部材の付勢力に抗して上記鉛筆挿入孔を開口するスライドシャッタを有することを特徴とする。
従って、スライドシャッタは常時鉛筆挿入孔を被覆しており、指を鉛筆挿入孔に挿入できないため、指が切削刃により切削されてしまう危険を防止することができる。
鉛筆を削る場合には、弾性部材により付勢されているスライドシャッタを弾性部材の付勢力に抗してスライドさせ、上記鉛筆挿入孔を開口させることができる。
【０００７】
また、請求項２記載の考案にあっては、上記スライドシャッタは、上記ケース本体の外側面部に取り付けられていることを特徴とする。
従って、スライドシャッタは指を使用してスライドさせることができる。
【考案の効果】
【０００８】
上記のように、本考案の電動鉛筆削り器によれば、鉛筆挿入孔を常時被覆するように弾性部材により付勢されたスライドシャッタを、弾性部材の付勢力に抗してスライドさせ、鉛筆挿入孔を開口させた状態を保持していなければ、鉛筆挿入孔に指を挿入することができないため、幼児が、誤って、もしくはいたずらで、指を鉛筆挿入孔に挿入する可能性は少ない。
すなわち、指を鉛筆挿入孔へ挿入しにくい機構を設けることによって、幼児が、誤って、もしくはいたずらで、指を鉛筆挿入孔へ挿入することによる、指が切削刃により切削されてしまう危険を防止することができる。
【考案を実施するための最良の形態】
【０００９】
以下、図面を用いて本考案の実施の形態について説明する。
図１乃至図３に示すように、本実施の形態に係る鉛筆削り器１０は、鉛筆を挿入する鉛筆挿入孔１４を設けた本体ケース１１と、鉛筆挿入孔１４に挿入した鉛筆を切削する切削刃（図示せず）と、切削刃を回転させるモータ（図示せず）とを備え、上記鉛筆挿入孔１４を常時被覆するように、上記弾性部材１５により付勢され、鉛筆切削時には、上記弾性部材１５の付勢力に抗して上記鉛筆挿入孔を開口するスライドシャッタ１３を有する。
【００１０】
すなわち、図１に示すように、本実施の形態に係る鉛筆削り器１０において、常時、鉛筆挿入孔１４はスライドシャッタ１３により被覆されている。
この場合、鉛筆削り器の内部の弾性部材１５の付勢力によりスライドシャッタ１３が鉛筆挿入孔１４を被覆している。
図３に示すように、弾性部材１５は、本体正面部１２の裏側の弾性部材取り付け凸部１６に弾性部材１５の一端が取り付けられ、スライドシャッタ１３の裏側の弾性部材取り付け凸部１７に弾性部材１５の他端が取り付けられている。このように本体ケース１１は弾性部材１５でスライドシャッタ１３と連結されている。
また、スライドシャッタ１３の弾性部材取り付け凸部１７は、弾性部材１５の付勢力を利用して、スライドシャッタ１３が鉛筆挿入孔を常時被覆するように、本体正面部１３に設けられたスライド溝１８の鉛筆挿入孔１４側の一端に当接され、スライド溝１８を摺動可能とする。
すなわち、スライドシャッタ１３を弾性部材１５の付勢力に抗してスライドさせなければ、鉛筆挿入孔１４は開口されないため、指を鉛筆挿入孔１４に挿入できず、指が切削刃により切削されてしまう危険性はない。
また、スライドシャッタ１３を弾性部材１５の付勢力に抗してスライドさせた場合であっても、鉛筆を挿入せず、鉛筆挿入孔１４を開口させた状態を保持するようにスライドシャッタ１３を指で押さえていない場合には、弾性部材１５の付勢力によって鉛筆挿入孔１４は被覆された状態に戻る。
ここで、弾性部材１５は、図３においては、コイルスプリングを使用しているが、上記付勢力を利用しうる部材であれば特に限定されるものではない。
【００１１】
そして、図２に示すように、鉛筆を削る場合には、本実施の形態に係る鉛筆削り器１０において、スライドシャッタ１３は本体正面部１２の外側に取り付けられていることから、弾性部材１５により付勢されているスライドシャッタ１３を弾性部材１５の付勢力に抗して指でスライドさせ、鉛筆挿入孔１４を開口させる。
次に、鉛筆挿入孔１４を開口させた状態を保持するようにスライドシャッタ１３を指で押さえながら、鉛筆挿入孔１４に鉛筆の先端部を挿入する。
そして、鉛筆が挿入されることで切削刃を回転させるモータのスイッチが作動して、切削刃が自動的に回転して鉛筆は削られる。  
すなわち、鉛筆挿入孔１４を常時被覆するように弾性部材１５により付勢されたスライドシャッタ１３を、弾性部材１５の付勢力に抗して指でスライドさせ、鉛筆挿入孔１４を開口させた状態を指で保持していなければ、鉛筆挿入孔１４に指を挿入することができない。
従って、幼児が、このような過程を経て鉛筆挿入孔１４に指を挿入する可能性は少ないため、幼児が、誤って、もしくはいたずらで、指を鉛筆挿入孔１４に挿入する可能性は少ない。
よって、指を鉛筆挿入孔１４へ挿入することによる、指が切削刃で切削されてしまう危険を防止することができる。
【産業上の利用可能性】
【００１２】
本考案は、鉛筆削り器、特に電動式の鉛筆削り器に適用することができる。
【図面の簡単な説明】
【００１３】
【図１】本考案に係る鉛筆削り器の一実施の形態を示す斜視図である。
【図２】本考案に係る鉛筆削り器の一実施の形態を示す鉛筆挿入孔を開口させている状態の斜視図である。
【図３】本考案に係る鉛筆削り器の一実施の形態を示す鉛筆削り器内部の安全機構を示す斜視図である。
【符号の説明】
【００１４】
１０  鉛筆削り器
１１  本体ケース
１２  本体正面部
１３  スライドシャッタ
１４  鉛筆挿入孔
１５  弾性部材
１６  弾性部材取り付け凸部
１７  弾性部材取り付け凸部
１８  スライド溝
【図１】
0003131478.tif 000003
【図２】
0003131478.tif 000004
【図３】
0003131478.tif 000005